(57)【要約】【課題】撮影した被写体の画像を自動的に個人別に分類して保存する機能を備えた撮影装置を提供する。【解決手段】撮影装置１０は、ランダムに撮影した画像データを、画像データに含まれる顔データに基づいて個人を識別し、個人専用の記憶領域に自動的に振り分けて保存する。撮影装置１０は脚部２６によって自立することができ、さらにはキャスター３２によって好きなところに簡単に移動させることができる。移動先では電源を供給するだけですぐに使用することができるため、面倒な配線や接続等の作業が不要である。また外観が従来のスタンドミラーと類似しているため、初めて使用するときでも操作方法や用途を直感的に把握することができる。【選択図】図１
0003179821.tif 000002
【実用新案登録請求の範囲】
【請求項１】
被写体を撮影する手段と、
撮影した画像を被写体に対して表示する手段と、
所定の撮影領域における被写体の顔を認識する手段と、
被写体の顔の特徴に基づいて個人を識別する手段と、
撮影した画像を識別した個人別に振り分けて記憶する手段を備えた、
撮影装置。
【請求項２】
前記被写体を撮影する手段となるカメラと、
撮影した画像を被写体に対して表示する手段となるディスプレイと、
前記所定の撮影領域における被写体の顔を認識する手段と、前記被写体の顔の特徴に基づいて個人を識別する手段と、前記撮影した画像を識別した個人別に振り分けて記憶する手段となる、所定のソフトウェアをインストールしたパーソナルコンピュータと、
前記カメラと前記ディスプレイと前記パーソナルコンピュータを支持する架台を備え、
前記架台が、前記ディスプレイおよび前記カメラを支持する第１の部材と、前記第１の部材を回動可能に支持するとともに前記パーソナルコンピュータを支持する第２の部材と、前記第２の部材に取り付けられたキャスターを含む、
請求項１に記載の撮影装置。
【請求項３】
複数人の被写体からなる画像は識別された各個人別に振り分けて記憶する、
請求項１または２に記載の撮影装置。
【考案の詳細な説明】
【技術分野】
【０００１】
本考案は、被写体の画像や動画を撮影して保存する撮影装置に関する。
【背景技術】
【０００２】
デジタルカメラの広範な普及により、日々の生活のちょっとしたシーンを撮影することは今日ではごく日常的な光景となっている。撮影対象は、風景や食事、ペット、蒐集品など様々であるが、最も多いのは人物であろう。子供の成長記録、家族や友人達との交遊記録、自画撮りなど、シチュエーションは違えども人物は様々な場面で撮影され撮影装置に記憶、保存されている。しかし、撮影が簡単になった反面、画像の分類は従来と同じく画像を確認しながらの手作業で行う必要があるため、デジタルカメラに保存された膨大な画像は撮りっぱなしのまま分類されずに放置されている場合がほとんどである。
【０００３】
このような画像を自動で分類する手法として、特許文献１および２には、既知の顔認証機能を用いて被写体を識別するという技術が開示されている。
【先行技術文献】
【特許文献】
【０００４】
【特許文献１】特開２００６−２６１９１４号公報
【特許文献２】特開２０１１−１７６５７４号公報
【考案の概要】
【考案が解決しようとする課題】
【０００５】
ところで、顔認証機能による被写体の識別機能を有した撮影装置には、特段の情報入力を行うことなく個人を特定する機能があるため、様々なシーンでの活用が想定される。例えば、幼稚園や小学校における児童の出欠管理や安全確認、アパレルやビューティーサロン等における顧客管理等である。その場合、管理者側の人的負担を増やすことのないように、被写体を自動で撮影し、画像を自動的にファイリングする機能を備えていることが望ましい。
【０００６】
本考案は、撮影した被写体の画像を自動的に個人別に分類して保存する機能を備えた撮影装置を提供することを目的とする。
【課題を解決するための手段】
【０００７】
本考案の撮影装置は、被写体を撮影する手段と、撮影した画像を被写体に対して表示する手段と、所定の撮影領域における被写体の顔を認識する手段と、被写体の顔の特徴に基づいて個人を識別する手段と、撮影した画像を識別した個人別に振り分けて記憶する手段を備えている。
【０００８】
被写体は、ちょうどスタンドミラーに映る自写像を確認する場合と同じように、撮影装置に表示された自画像を確認しながら撮影ポーズを決めることができる。撮影装置は、撮影領域で被写体の顔を認識した場合に、顔の特徴に基づいて個人を識別し、自動的に画像を個人別に振り分けて記憶する。
【０００９】
本考案の撮影装置は、前記被写体を撮影する手段となるカメラと、撮影した画像を被写体に対して表示する手段となるディスプレイと、前記所定の撮影領域における被写体の顔を認識する手段と、前記被写体の顔の特徴に基づいて個人を識別する手段と、前記撮影した画像を識別した個人毎に分類して記憶する手段となる、所定のソフトウェアをインストールしたパーソナルコンピュータと、前記カメラと前記ディスプレイと前記パーソナルコンピュータを支持する架台を備え、前記架台が、前記ディスプレイおよび前記カメラを支持する第１の部材と、前記第１の部材を回動可能に支持するとともに前記パーソナルコンピュータを支持する第２の部材と、前記第２の部材に取り付けられたキャスターを含む構成とすることができる。
【００１０】
この撮影装置は、ディスプレイの傾斜角の変更に伴ってカメラの撮影領域も変更するため、スタンドミラーの傾斜角を変更する場合と同じように取り扱うことができる。またディスプレイ、カメラ、パーソナルコンピュータの全てがキャスターによって指示されているため、撮影を行う場所に簡単に移動させることができる。
【考案の効果】
【００１１】
本考案の撮影装置は、ランダムに撮影した画像データを、画像データに含まれる顔データに基づいて個人を識別し、個人専用の記憶領域に自動的に振り分けて保存することができるため、画像データを基にした安否確認や顧客管理など様々な用途に利用することができる。
【図面の簡単な説明】
【００１２】
【図１】撮影装置の外観を示す正面図（ａ）と側面図（ｂ）
【図２】撮影装置のシステム構成図
【図３】撮影装置のシステム動作を示すフローチャート
【考案を実施するための形態】
【００１３】
本考案の実施の形態について図面を参照して説明する。図１において、撮影装置１０は、ディスプレイ１２と、カメラ１４と、パーソナルコンピュータ（以下、ＰＣという。）１６と、架台１８によって構成される。
【００１４】
ディスプレイ１２は、タッチパネル式の液晶パネルであり、外形は縦長の矩形である。ディスプレイ１２の外形は、図示された縦長の矩形を基本とするが、これ以外にも横長の矩形や正方形、その他の任意の形状のものを適用することができる。また複数の液晶パネルを組み合わせて大型ディスプレイとすることもできる。
【００１５】
カメラ１４はディスプレイ１２の上部に１個、左右の側部に１個ずつの合わせて３個が取り付けられている。これら３個のカメラ１４は全てを機能させたり、任意のものだけを機能させたりなど自由に組み合わせて使用することができる。例えば被写体の顔の位置を基準として、被写体が大人の場合は上部のカメラ１４のみを機能させたり、もしくはメインカメラとして使用し、側部のカメラ１４をサブカメラとして使用することも可能である。被写体が子供の場合はその逆で、側部のカメラ１４がメインカメラとなる。
【００１６】
ＰＣ１６は、ディスプレイ１２の背面側に設置され、ディスプレイ１２とカメラ１４と接続されている。ＰＣ１６とカメラ１４とディスプレイ１２によって構成される撮影装置１０のシステム構成図は図２に示されている。
【００１７】
架台１８は、大きく分けて２つの部分から構成されている。第１の支持部２０はディスプレイ１２を背面側から支持する部材である。第１の支持部２０にはディスプレイ１２を任意の傾斜角で支持する機能に加え、外力による変形や破損から保護する機能がある。第１の支持部２０は第２の支持部２２の上部に設けられた回転軸２４によって支持されている。第１の支持部２０は回転軸２４を中心に所定の角度内で回動可能であり、この機能によってディスプレイ１２の傾斜角を任意の角度に調整することができる。
【００１８】
第２の支持部は４本の脚部２６とＰＣ設置台２８と支持棒３０から構成される。ＰＣ設置台２８にはＰＣ１６が設置されている。脚部２６にはそれぞれキャスター３２が取り付けられている。回転軸２４は支持棒３の先端に設けられている。
【００１９】
以上のように構成される撮影装置１０は、４本の脚部２６によって自立することができ、さらにはキャスター３２によって好きなところに簡単に移動させることができる。移動先では電源を供給するだけですぐに使用することができるため、面倒な配線や接続等の作業が不要である。また外観が従来のスタンドミラーと類似しているため、初めて使用するときでも操作方法や用途を直感的に把握することができる。
【００２０】
図２において、撮影装置１０の制御系は、ＣＰＵ４０を中心として、撮影部４２、表示部４４、操作部４６、記憶部４８、外部記憶装置接続部５０、顔認証部５２、顔データ記憶部５４、動作モード選択部５６、動作モード記憶部５８によって構成される。
【００２１】
ＣＰＵ４０は、撮影装置１０の動作プログラムに関するソフトウェアを読み込んで各種の情報処理を行う。撮影部４２は、カメラ１の制御機能を備える。表示部４４は、ディスプレイ１２の制御機能を備える。操作部４６は、ディスプレイ１２のタッチパネル機能やキーボード等を利用して入力された情報の処理を行う。特に動作モード選択部５６の動作モードの選択操作における情報処理を行う。記憶部４８は、画像データや動画データを記憶する機能を備える。記憶部４８には複数の記憶領域（例えばファイルやフォルダ）があり、顔認証部５２において個人が識別された画像データは専用の記憶領域に自動的に振り分けられて保存される。記憶部４８に記憶された画像データは、外部記憶装置接続部５０を通じてＵＳＢメモリ等の外部記憶装置に移動させたりコピーしたりすることができる。
【００２２】
顔認証部５２は、カメラ１４で撮影された画像に含まれる被写体の顔を認識する機能を備える。さらには、撮影部４２から送られてきた画像データと顔データ記憶部５４に予め記憶される顔データを照合し、個人を識別する機能を備える。顔データ記憶部５４は、被写体の顔の特徴を示す顔データを記憶する機能を備える。この顔データは、外部記憶装置接続部５０を通じてＵＳＢメモリ等の外部記憶装置に記憶された画像データから取得することもできる。
【００２３】
動作モード設定部５６は、撮影装置１０の動作モードの設定に関する制御機能を備える。撮影装置１０は撮影シーンに応じて最適な動作を実現するために、予めいくつかの撮影シーンを想定したパターンが動作モード記憶部５８に記憶されており、撮影にあたって任意の動作モードを選択し、設定できるように構成されている。例えば、幼稚園の園児や小学校の児童等の撮影に使用する場合の「子供モード」、アパレルや美容院等の顧客の撮影に使用する場合の「ビューティモード」等のパターンを用意しておき、撮影シーンに応じた動作モードを簡単に選択できるようにしておく。
【００２４】
以上のような制御系の構成を備えた撮影装置１０は、ランダムに撮影した画像データを、画像データに含まれる顔データに基づいて個人を識別し、個人専用の記憶領域に自動的に振り分けて保存する。例えば被写体がカップルやグループ等の多人数の場合のように、一つの画像データに複数の顔データが認識された場合には、同じ画像データを全員の記憶領域にそれぞれ保存する。
【００２５】
撮影装置１０のシステム動作について、図３のフローチャートを参照しながら説明する。最初に、撮影装置１０を利用可能な状態にするため、操作部４６に入力された動作モードの選択操作に基づいて、動作モード設定部５６は動作モードの設定処理を行う（Ｓ１）。次に、顔認証部５２がカメラ１４の撮影画像に被写体の顔を認識すると、撮影部４２が画像データを取り込む（Ｓ２）。次に、顔認証部５２が画像データに含まれる顔データに基づいて顔認証処理を行う（Ｓ３）。そして顔認証処理によって識別した個人の専用の記憶領域に画像データを振り分ける（Ｓ４）。記憶部４８は振り分けられた画像データをそれぞれの記憶領域に記憶する（Ｓ５）。この後、次の被写体の撮影を行う場合は、顔認証処理（Ｓ２）から画像記憶処理（Ｓ５）に至る処理動作を繰り返す。
【００２６】
撮影装置１０は例えば次のような利用方法が考えられる。第１に、幼稚園で利用する場合は、園の入口や建物の玄関口に撮影装置１０を設置し、登園した園児全員を撮影する。撮影された画像は全て顔認証処理が行われるため、園児の出欠状況を簡単に確認することができる。さらには、登園時以外にもお昼休みや退園時などにも園児を撮影することで園児の不在などを早期に発見することができる。またこれらの画像を保護者にメールで自動送信するようにすれば、保護者は子供の様子を定期的に送られてくる画像で確認することができるという状況に安心感を覚える。これらの画像は園児個人毎に自動的に記憶されるため、日々の成長の様子を示す膨大な数の画像データを簡単にファイリングすることができる。
【００２７】
第２に、洋服店で利用する場合は、店舗に設置し、来店した客を撮影する。顔認証機能により、初回の来店なのか常連客なのか正確に把握することができる。これらの来店状況は例えば店舗の端末や店長、売場責任者の端末等にリアルタイムで送信することで、的確な接客を行うことができるようになる。常連客の場合は、過去の来店回数やその日付、試着状況や購入状況等のデータを合わせて保存しておくことで顧客管理にも利用することができる。また試着室では、洋服を試着した客が撮影装置１０の前に立つと動作モードが自動的にカメラマンモードに変更になるように構成することで、客は音声や画像によってポージングの誘導を受けながら、まるでモデルになったかのような気分を味わえるサービスを提供することができる。
【００２８】
第３に、フィットネス施設で利用する場合は、顧客管理はもとより、運動の成果を時系列的に画像で残すことができるため、施設利用者は日々の変化や効果を楽しみながら運動を継続することができる。施設側も利用者の継続率が向上することで顧客定着率を高め、経営の安定化を図ることができる。
【００２９】
第４に、居酒屋等の飲食店で利用する場合は、洋服店の場合と同じように来店状況の確認等の顧客管理に用いることができる。飲食店の場合、カップルやグループなど複数人での来店が多いことから、顔認証機能によって組み合わせを正確に確認することで、当人同士の関係性や来店目的等に応じた的確なサービスを提供することができる。
【００３０】
この他にも、アトラクション施設や全国の駅に設置し、画像によるスタンプラリー等に利用することができる。
【符号の説明】
【００３１】
１０  撮影装置
１２  ディスプレイ
１４  カメラ
１６  パーソナルコンピュータ
２０  第１の支持部
２６  脚部
２８  ＰＣ支持台
３０  支持棒
３２  キャスター
４６  ＣＰＵ
４２  撮影部
４４  表示部
４６  操作部
４８  記憶部
５０  外部記憶装置接続部
５２  顔認証部
５４  顔データ記憶部
５６  動作モード設定部
５８  動作モード記憶部
【図１】
0003179821.tif 000003
【図２】
0003179821.tif 000004
【図３】
0003179821.tif 000005
【手続補正書】
【提出日】平成24年9月15日(2012.9.15)
【手続補正１】
【補正対象書類名】実用新案登録請求の範囲
【補正対象項目名】全文
【補正方法】変更
【補正の内容】
【実用新案登録請求の範囲】
【請求項１】
被写体を撮影するカメラと、
撮影した画像を被写体に対して表示するディスプレイと、
所定の撮影領域における被写体の顔を認識する手段と、前記被写体の顔の特徴に基づいて個人を識別する手段と、前記撮影した画像を識別した個人別に振り分けて記憶する手段となる、所定のソフトウェアをインストールしたパーソナルコンピュータと、
前記カメラと前記ディスプレイと前記パーソナルコンピュータを支持する架台、
を備えた撮影装置。
【請求項２】
前記架台が、前記ディスプレイおよび前記カメラを支持する第１の部材と、前記第１の部材を回動可能に支持するとともに前記パーソナルコンピュータを支持する第２の部材と、前記第２の部材に取り付けられたキャスターを含む、
請求項１に記載の撮影装置。
【請求項３】
前記パーソナルコンピュータが、複数人の被写体からなる画像は識別された各個人別に振り分けて記憶する、
請求項１または２に記載の撮影装置。